(57)【要約】【課題】往復時に掻き取り機能を有し且つ長期間の使用に耐える工業用ワイパーを提供すること。【解決手段】往復移動せしめられる取付部１とこれの端部に一体化された弾性部２とから成り、前記弾性部２の両面に相互に背向する凹溝２０，２０を設けてリップ２１を形成し、前記リップ２１の先端は被作業面に対して直角姿勢で接するようにして使用される工業用ワイパーであって、取付部１及び弾性部２が、合成樹脂により構成されており、前記取付部１の硬度よりも弾性部２のそれを低硬度とし、両者は融着により一体化されている。【選択図】  図１
2005066376.tif 000002
【特許請求の範囲】
【請求項１】
往復移動せしめられる取付部とこれの端部に一体化された弾性部とから成り、前記弾性部の両面に相互に背向する凹溝を設けてリップを形成し、前記リップの先端は被作業面に対して直角姿勢で接するようにして使用される工業用ワイパーであって、取付部及び弾性部が、合成樹脂により構成されており、前記取付部の硬度よりも弾性部のそれを低硬度とし、両者は融着により一体化されていることを特徴とする工業用ワイパー。
【請求項２】
凹溝の断面形状は、これの底面と各側面とを曲面で繋ぐ形態であることを特徴とする請求項１記載の工業用ワイパー。
【請求項３】
取付部を構成する合成樹脂の硬度はＪＩＳ  Ａ硬度で８０〜１００°であり、弾性部を構成する合成樹脂の硬度はＪＩＳ  Ａ硬度で４０〜８０°であることを特徴とする請求項１又は２記載の工業用ワイパー。
【請求項４】
取付部を構成する合成樹脂の硬度はＪＩＳ  Ａ硬度で９０〜１００°であり、弾性部を構成する合成樹脂の硬度はＪＩＳ  Ａ硬度で５０〜７５°であることを特徴とする請求項１又は２記載の工業用ワイパー。
【請求項５】
リップの先端角は、３０°〜９０°であることを特徴とする請求項１乃至４のいずれかに記載の工業用ワイパー。
【発明の詳細な説明】
【０００１】
【発明の属する技術分野】
この発明は、被作業面を掻き取るための工業用ワイパーに関するものである。
【０００２】
【従来の技術】
この種の工業用ワイパーは、取付部は金属により、掻取部を含む弾性部はゴムにより、それぞれ構成させてあり、前記弾性部にはリップ部を形成させるための凹溝を設けてある。前記取り付け部と弾性部相互は接着されており、通常、常温接着方式、または更に接着力を向上させるために加硫同時接着方式により固着されている（例えば、特許文献１。）。
【０００３】
上記の如く構成された工業用ワイパーは、一方向にしか被作業面を掻き取ることができず、往復掻き取り機能を必要とする例えばドア用ワイパー等としては使用することができない。
【０００４】
ところで、往復移動において掻き取り機能を奏するワイパーのブレードゴムとしては、弾性部１の両面に相互に背向する凹溝を設けてリップ部を形成したものがある（例えば、特許文献２。）。
【０００５】
したがって、上記した特許文献１，２を組み合わせることにより、図３や図４に示すような往復移動において掻き取り機能を奏するワイパー（比較例：符号９１が取付部、符号９２が弾性部、符号９３がリップ部、符号９４が凹溝）は比較的容易に創作できる。
【０００６】
しかしながら、図３や図４に示すワイパーでは、比較的短期間で凹溝部分で亀裂が生じたり、取り付け部と弾性部相互の接着部に剥離が生じたりして、長期間の使用に耐えれないいう問題があると考えられる。なお、このような問題が発生するのは、以下の▲１▼▲２▼が原因と考えられる。
▲１▼．凹溝部分での亀裂は、リップ溝を構成する底面とこれに両方の直立面との角度が９０°と尖ったものであるため、前記尖った部分に集中応力が作用することから生じると考えられる。
▲２▼．接着剥離は、取り付け部と弾性部の間に存在する間接的な接着要素が、切削油や潤滑油、もしくは空気中の酸素などの影響で接着力の低下を引き起こしてしまうことにより生じると考えられる。
【０００７】
【特許文献１】
特開平８−１３２３３０号公報（図１参照）
【特許文献２】
特開平２００３−１１２６１１号公報（図１参照）
なお、近年、この種のワイパーを使用する業界では、往復時に掻き取り機能を有し且つ長期間の使用に耐えることができる工業用ワイパーが開発されることを待ち望んでいる。
【０００８】
【発明が解決しようとする課題】
そこで、この発明では、往復時に掻き取り機能を有し且つ長期間の使用に耐える工業用ワイパーを提供することを課題とする。
【０００９】
【課題を解決するための手段】
（請求項１記載の発明）
この発明は、往復移動せしめられる取付部とこれの端部に一体化された弾性部とから成り、前記弾性部の両面に相互に背向する凹溝を設けてリップを形成し、前記リップの先端は被作業面に対して直角姿勢で接するようにして使用される工業用ワイパーであって、取付部及び弾性部が、合成樹脂により構成されており、前記取付部の硬度よりも弾性部のそれを低硬度とし、両者は融着により一体化されている。
（請求項２記載の発明）
この発明の工業用ワイパーは、請求項１記載の発明に関し、凹溝の断面形状は、これの底面と各側面とを曲面で繋ぐ形態である。
（請求項３記載の発明）
この発明の工業用ワイパーは、請求項２記載の発明に関し、取付部を構成する合成樹脂の硬度はＪＩＳ  Ａ硬度で８０〜１００°であり、弾性部を構成する合成樹脂の硬度はＪＩＳ  Ａ硬度で４０〜８０°である。
（請求項４記載の発明）
この発明の工業用ワイパーは、請求項２記載の発明に関し、取付部を構成する合成樹脂の硬度はＪＩＳ  Ａ硬度で９０〜１００°であり、弾性部を構成する合成樹脂の硬度はＪＩＳ  Ａ硬度で５０〜７５°である。
（請求項５記載の発明）
この発明の工業用ワイパーは、請求項１乃至４のいずれかに記載の発明に関し、リップの先端角は、３０°〜９０°である。
【００１０】
なお、上記発明の工業用ワイパーの作用・効果については以下の発明の実施の形態の欄で説明する。
【００１１】
【発明の実施の形態】
以下、この発明を実施形態として示した図面に従って説明する。
〔実施形態１〕
図１はこの発明の実施形態の工業用ワイパーＷの斜視図。
（この工業用ワイパーＷの基本的な構成について）
この工業用ワイパーＷは、図１に示すように、往復移動せしめられる取付部１とこれの下端に融着された弾性部２とから成り、前記弾性部２の両面に相互に背向する凹溝２０，２０を設けてリップ２１を形成し、前記リップ２１の先端は被作業面Ｆに対して直角姿勢で接するようにして使用されるものである。
【００１２】
以下に、この工業用ワイパーＷの各構成部について説明する。
（取付部１の構成について）
取付部１は、図１に示すように板状に形成されたものであり、全体がＪＩＳ  Ａ硬度で１００°程度の塩化ビニルにより構成されている。
【００１３】
ここで、この取付部１は具体的には、図２中、Ｌ２＝２２ｍｍ，Ｌ６＝２ｍｍ，Ｌ９＝１０００ｍｍに設定してある。
（弾性部材２の構成について）
弾性部材２は、図２に示すように板状に形成されたものであり、全体がＪＩＳ
Ａ硬度で７０°程度の塩化ビニルにより構成されている。
【００１４】
ここで、この弾性部材２及びこれに形成された凹溝２０，２０は具体的には、図２中、Ｌ３＝１２ｍｍ，Ｌ４＝５ｍｍ，Ｌ５＝１ｍｍ，Ｌ６＝２ｍｍ，Ｌ７＝０．８ｍｍ，Ｌ８＝０．５ｍｍ，Ｌ９＝１０００ｍｍ，α＝８５°，Ｒ＝０．２ｍｍに設定してある。
（この発明の実施形態のワイパーＷと、図３や図４に示した比較例との作用効果の理論上の比較）
▲１▼．この発明の実施形態のワイパーＷでは、凹溝２０，２０の断面形状は、これの底面と各側面とを曲面（Ｒ＝０．３ｍｍ）で繋ぐ形態としてあるから、比較例の如く当該部分に集中応力が作用せず、その結果、比較的短期間で凹溝２０部分で亀裂が生じたりするようなことはない。
▲２▼．この発明の実施形態のワイパーＷでは、取付部１と弾性部２とは共に合成樹脂であり、これら相互を溶融したものであるから他の間接的な接着要素は存在せず、その結果、切削油や潤滑油、もしくは空気中の酸素などの影響で接着力の低下を引き起こすような事態は生じない。
▲３▼．上記▲１▼▲２▼より、この発明の実施形態のワイパーＷでは、往復時に掻き取り機能を有し且つ長期間の使用に耐えることが明らかである。
（この発明の実施形態のワイパーＷと、図３や図４に示した比較例との作用効果の試験による比較）
図１及び図２に示したこの発明の実施形態のワイパーＷと、図３や図４に示した比較例のワイパーとを、それぞれ移動速度：２５ｍ／ｍｉｎ、潤滑油：無しという試験条件で、ワイパーの損傷を比較した。その結果を以下に表として示す。
2005066376.tif 000003
図３や図４に示した比較例のワイパーでは、約５０ｋｍ過ぎから取付部１と弾性部２相互の接着部の剥離が始まり、１００ｋｍで完全に剥離すると共にリップ９３（凹溝９４の尖り部）も損傷が確認された。
【００１５】
これに対して、図１及び図２に示したこの発明の実施形態のワイパーＷでは、５００ｋｍまで亀裂は見当たらなかった。
〔他の実施形態〕
▲１▼．上記実施形態１では凹溝２０の断面形状は、底面と各側面とを繋ぐ曲面の半径をＲ＝０．３ｍｍとしているが、曲面の半径はＲ＞０．０１ｍｍであればよい。
▲２▼．取付部を構成する合成樹脂の硬度はＪＩＳ  Ａ硬度で８０〜１００°（好ましくは９０〜１００°）とし、弾性部を構成する合成樹脂の硬度はＪＩＳ  Ａ硬度で４０〜８０°（好ましくは５０〜７５°）とすることができる。
▲３▼．リップの先端角は、３０°〜９０°の範囲であれば使用できる。
▲４▼．この取付部１及び弾性部２に使用できる樹脂は好ましくは塩化ビニルであるが、その他のポリオレフィン系樹脂、ポリウレタン、ポリブタジエン等に代表される樹脂群から選択できる。
【００１６】
【発明の効果】
この発明は上記のような構成であるから次の効果を有する。
【００１７】
発明の実施の形態の欄に記載されている内容から、往復時に掻き取り機能を有し且つ長期間の使用に耐える工業用ワイパーを提供できた。
【図面の簡単な説明】
【図１】この発明の実施形態１の工業用ワイパーの斜視図。
【図２】前記工業用ワイパーのリップ部及びその付近の正面図。
【図３】比較例の工業用ワイパーの斜視図。
【図４】比較例の工業用ワイパーのリップ部及びその付近の正面図。
【符号の説明】
Ｗ        工業用ワイパー
１        取付部
２        弾性部
２０      凹溝
２１      リップ部
【図１】
2005066376.tif 000004
【図２】
2005066376.tif 000005
【図３】
2005066376.tif 000006
【図４】
2005066376.tif 000007